(57)【特許請求の範囲】
【請求項１】
制御ユニット(UCd)とマルチメディアコンテンツをリリースための手段(Md)とを具備する装置であって、前記制御ユニット(UCd)が前記リリースするための手段(Md)の制御を提供するために該手段と協働する装置のための、インタラクティブなシステム(S)において、
前記システム(S)は
通信手段(C1)とマイクロコントローラ(U)とを含む処理ユニット(UC)と、
前記リリースするための手段(Md)に貼り付けられる少なくとも1つのタグ(T1、T2、Ti、Tn)と、を含み、
前記少なくとも1つのタグは、
前記処理ユニットの通信手段を介して前記処理ユニット(UC)の前記マイクロコントローラ(U)と直接的に協働する第一の通信手段(Ct)と、
前記少なくとも1つのタグの通信範囲に通信する物体(Oc)が存在する場合に、前記通信する物体(Oc)との無線通信(CP)を可能にするための第二の通信手段(At)とを含み、
前記処理ユニット(UC)は、該処理ユニットにより実施されるアクションを行うために前記制御ユニット(UCd)と通信するよう構成され、該処理ユニット(UC)は、前記通信手段(C1)を介して前記第一の通信手段(Ct)から前記処理ユニット(UC)への前記少なくとも1つのタグが開始した通信に応じて、前記リリースするための手段(Md)によりリリースされるマルチメディアコンテンツの中身を変更するためのリリースの要求(P1)を前記制御ユニット(UCd)に送信するよう構成される
インタラクティブなシステム。
【請求項２】
請求項１に記載のシステムであって、前記少なくとも1つのタグ(T1、T2、Ti、Tn)が記憶装置(Mt)を含み、通信する物体(Oc)と前記タグとの間に通信(CP)が確立された場合に、前記記憶装置(Mt)のコンテンツが前記通信する物体(Oc)により読み取られ、
前記処理ユニットにより実施される前記少なくとも1つのアクションが前記タグの前記記憶装置(Mt)の更新を含む、システム。
【請求項３】
請求項１または２に記載のシステムであって、複数のタグ(T1、T2、Ti、Tn)を含み、前記複数のタグがそれぞれリリースするための手段(Md)に貼り付けられるように構成され、前記複数のタグがそれぞれ前記処理ユニット(UC)と直接通信を行う、システム。
【請求項４】
請求項１から３のいずれか一項に記載のシステムであって、1つ又は複数の前記タグがワイヤ、パラレル、リニア又はリング状のバス(B)を通じて前記処理ユニット(UC)と協働する、システム。
【請求項５】
請求項１から４のいずれか一項に記載のシステムであって、前記少なくとも1つのタグ(T、T2、Tn)が前記通信する物体(Oc)により生成された電磁場の存在を検出した際、前記少なくとも1つのタグ(T1、T2、Ti、Tn)が電磁場(FD1、FD2、FDn)の検出のメッセージを発信する、システム。
【請求項６】
請求項５に記載のシステムであって、前記処理ユニット(UC)がデータメッセージ(IO1、IO2、IOn)を通じて前記少なくとも1つのタグ(T1、T2、Tn)と更に通信する、システム。
【請求項７】
請求項１から６のいずれか一項に記載のシステムであって、前記処理ユニット(UC)が第二のリモート処理ユニット(UD)と通信(P2)を行うための通信手段(C2)を含む、システム。
【請求項８】
制御ユニット(UCd)とマルチメディアコンテンツをリリースするための手段(Md)とを具備する装置であって、
前記リリースするための手段(Md)の制御を提供するために前記制御ユニット(UCd)が前記リリースするための手段(Md)と協働し、
前記装置は請求項１から７のいずれか一項に記載のインタラクティブなシステム(S)を更に具備する装置。
【請求項９】
請求項８に記載の装置であって、前記処理ユニット(UC)が前記制御ユニット(UCd)と同じ物理的実体を構成する、装置。
【請求項１０】
請求項９に記載の装置であって、前記リリースするための手段(Md)が表示面(Ed)を含むフロント・ウォールを具備する、装置。
【請求項１１】
請求項１０に記載の装置であって、前記リリースするための手段がポインタを検出するための容量性または光学式の検出手段と関連する半透明のウォールを含み、
前記リリースするための手段が前記表示面の前に位置される物体の位置を判断するように構成される、装置。
【請求項１２】
制御ユニット(UCd)とマルチメディアコンテンツをリリースするための手段(Md)とを具備する装置のための方法であって、
前記リリースするための手段(Md)の制御を提供するために前記制御ユニット(UCd)が前記リリースするための手段(Md)と協働し、
前記方法は請求項１から７のいずれか一項に記載のインタラクティブなシステム(S)を前記装置に統合する工程を含む方法。
【請求項１３】
請求項５から７のいずれか一項に記載のインタラクティブなシステムの処理ユニット(UC)により実施される方法であって、
前記システムの1つ以上のタグ(T1、T2、Tn)により発信された電磁場(FD1、FD2、FDn)の検出のメッセージを、通信手段(C1)を通じて受信する工程と、
前記メッセージを発信した前記タグを識別する工程と、
前記検出のメッセージを発信したタグに従い、前記リリースするための手段(Md)によりリリースされるマルチメディアコンテンツの中身の変更を要求する工程と、
を含む方法。
【請求項１４】
請求項１３に記載の方法であって、
電磁場(FD1、FD2、FDn)の検出のメッセージを先に発信した前記タグ(T1、T2、Tn)にデータメッセージ(IO1、IO1、IOn)を送信する工程を含み、
前記データメッセージがタグの記憶装置(Mt)のコンテンツを変更することからなる、方法。
【請求項１５】
請求項５から７のいずれか一項に記載のインタラクティブなシステム(S)の前記処理ユニット(UC)の前記マイクロコントローラ(U)により処理可能な命令を含むコンピュータプログラムであって、
前記命令が前記マイクロコントローラにより実行又は解釈されると請求項１３または１４に記載の方法の実行を行うコンピュータプログラム。
【発明の詳細な説明】
【技術分野】
【０００１】
本発明は、セレクションインターフェイス（インタラクティブなフロント・ウォール、ローマ字キーボード、ポインティング周辺装置）を含むあらゆる装置であって、製品又はサービスと関連する情報、若しくは前記製品又はサービスの供給のめにユーザが該装置と直接的に情報のやり取りを可能にする装置に関する。限定するものではないが、本発明はより詳細に、位置や価格等に関する情報を提供するインタラクティブなパネルやメディア・ウォールにも関する。
【背景技術】
【０００２】
様々なインタラクティブなメディア・ウォールが公共の場で使われる。該インタラクティブなメディア・ウォールによって、ユーザが一般に画面やモニタを通じてリリースされるメニューやマルチメディアコンテンツを使用して簡単に閲覧できるようになる。例えば第一ショーウインドウや一部食品製品の販売機が半透明の壁に防護される1つまたは複数の電子画面又は陳列ケースを備える。物品又は項目を選択するためにはユーザがサムホイールや「トラックボール」型のポインティング装置を動かす。それによりユーザが、様々な基準に沿って複数のアイテムの中から一個のアイテムの参照を選択できる（例えば、車両の種類に沿ってワイパの選択）。ユーザが更に、駅で切符の購入等もできる。他の方法としてユーザは文字数字の列を入力することにより製品又はサービス等の指定や選択ができる。
【発明の概要】
【発明が解決しようとする課題】
【０００３】
しかしながら、そのような装置によりやりとりされる情報は概略的である。装置の魅力を増すためには、一部の供給者が時折メインフロント・ウォールに、時には非常に大規模な、タッチ式の画面を設けることでより面白い使用を提供してきた。ただしこの様な解決策は、おそらくタッチ式の画面の原価高や壊れやすさが原因で、極めて高価で、集中利用の場合にあまり確実ではないことが分かった。さらに、食品製品の販売機のフロント・ウォールに設置された画面が販売製品の一部を隠す場合もあり、全製品が見えなくなる可能性もある。このような欠点を解消するために、他の装置の場合はキーボードとタッチ式の画面の代わりにインタラクティブなフロント・ウォール（例えば、立体視覚の技術等を実施するようなフロント・ウォール）を設け、該フロント・ウォールが制御ユニットと協働する形をとる。この様な技術は例えば、可視スペクトル又は近赤外スペクトルで発光する光源により照らせられた又は逆光によって照らされた枠に囲まれたほぼ半透明な壁の周りにセンサを設置することからなる。上記装置は前記半透明な壁の近くに配置されたポインタ（例えばユーザの指等）を検出できる。三角測量等の周知の方法を使えば壁においてポインタの位置を高精度で分かることが可能になる。装置は（容量性の検出、音の検出又はその他の検出機能が搭載される）タッチ式の画面を採用するか光同期検出方式のフロント・ウォールを採用するかに係らず、ポインタの所定の位置が情報のアイテムの表示又は製品やサービスの分配を実施するように制御ユニットを予めプログラムできる。
【０００４】
この第二世代のインタラクティブな装置が人間工学及び魅力の面で重要な進歩を与える。しかし、項目又はメニューを閲覧するのが面倒にもなり得る。ある製品やサービスに関する情報にアクセスするのに、一般に複数の操作及び選択が必要になる。
【０００５】
更に、このような装置は情報又は製品の提供できる能力にも限りがある。要求された情報は一般に、維持できるものではなく、公衆の直面する装置の画面でしか入手できない。したがってユーザがその情報を専有したり、後で使うために持って帰ったりするのも難しい。多くの場合、ユーザに残される解決策は例えば、手書きでメモを取ること又はそのメモを携帯用機器に入力して格納することだけである。
【０００６】
上記の課題を解決するために、インタラクティブな装置の一部のメーカーがメールやショートメッセージ（ショートメッセージサービス又はSMS）を通じて要求された情報の送信を提案する。この目的のために、インタラクティブな装置の使用者が、例えば、QR（クイックレスポンスの略）コード等の機能をサポートできる物体(object)を使用して該QRコード(登録商標)等のバーコードをデジタル化する必要が生じる。QRコード(登録商標)型のバーコードは、白い背景のある四角の中で配置される複数の黒いモジュールからなる。上記バーコードは二次元のコード又は配列のコードである。モジュールの配置によって符号化された情報が決定される。符号化された情報は、携帯電話等のような上記目的のために用意された読み取り機がバーコードを読み取れば素早く復号され得る。たとえば、上記のバーコードはインターネットのアドレスを符号化できる。それにより読み取り機が自動的にインターネットのブラウザを起動でき、ユーザが移動体通信ネットワーク又は（Wi-Fi等の）無線ネットワークを利用できれば追加情報にもアクセスできるようになる。しかしながら、上記符号化された情報は非常に限られた静的なものでもある。上記のバーコードを画面の前に貼り付けることを行う場合に、その画面によりリリースされるコンテンツが部分的に前記バーコードに覆われることになる。
【０００７】
近接又は近距離の通信、更に具体的に頭字語のNRFでも知られる近年の技術により上記の欠点を部分的に解決できる。（タグ「ラベル」又は「ビーコン」とも呼ばれる）がバーコードに置き替えられる。この様なタグは、短距離（一般的に10センチ未満の）の無線通信を用いる読み取り機（たとえば上記機能をサポートできる携帯電話又はタブレット）により読み取られる。上記の技術は、同じ周辺装置がチップカード型のようなインターフェイスと読み取り機とを備える近接マップの無線周波数認識（RFID）を通じての通信に適用されるISO/CEI14443規格の延長である。上記タグを画面の前ではなくて画面の後ろに貼り付けることにより、画面に表示されるコンテンツの一部が覆われなくなる。
【０００８】
しかしながら、タグを使用するかバーコードを使用するかにもかかわらず、情報は静的のままである。タグにより提供される情報がさらに、インタラクティブな装置のリリース手段によってリリースされるコンテンツの内容と無関係のままである。したがってリリースされるコンテンツが動的な場合、例えば、追加情報と関連付けたい多くのアーティクル、製品又はサービスを表示できる回転ラックのような場合、このような解決策が不適切になる。バーコードもリリースされるマルチメディアコンテンツの一部に成り得る。それ故に上記のバーコードにより符号化される情報は静的のままで、さらにコンテンツそのものになる。つまり、一台の装置の明確な情報を同じマルチメディアコンテンツを共用するもう一台の装置と関連付けるのが不可能である。同様に、前記コンテンツの1つのアイテムと関連付けられる追加情報のアイテムについてあらゆる僅かな変更は結果的にコンテンツ自体の高価な変更（更新及び配置）になる。
【課題を解決するための手段】
【０００９】
本発明は、コントロールユニットと、マルチメディアコンテンツをリリースするための手段を備え、前記コントロールユニットが前記リリースするための手段の制御を提供するために該手段と協働する装置であって；通信手段及びマイクロコントローラと関連付けられる処理ユニットと、少なくも1つのタグとを含み、前記少なくとも1つのタグが処理ユニットと直接通信するための第一通信手段と、通信する物体が前記少なくとも1つのタグの通信範囲内にある場合に該通信する物体との無線通信を可能にするための第二通信手段とを含む、インタラクティブなシステムと統合される装置とすることにより、既知の解決策によって生じる欠点の全てを解消できる効果を奏する 。この様に処理ユニットと1つ又は複数のタグとを接続することにより、また処理ユニットが該1つまたは複数のタグにより開始される通信に応じてマルチメディアコンテンツに関連するアクションを実施させるように該処理ユニットを配置することにより、この様に適合された装置に提供される情報のやり取りは、有意に向上させられる。特に有利には、通信手段(C1)を通じた第一通信手段(Ct)による前記処理ユニット(UC)への、少なくとも1つのタグ(T1、T2、Ti、Tn)により開始される通信に応じて、リリースするための手段(Md)にリリースされるマルチメディアコンテンツの中身を変更するように、処理ユニット(UCd)へのリリースの要求(P1)をリリースすることを含む、処理ユニットにより実施される少なくとも1つのアクションを実施するために処理ユニットが制御ユニットと通信するように配置される。
【００１０】
本発明がもたらす数多くの利点の中で、
-マルチメディアコンテンツをリリースするための手段を備える装置の相互作用、魅力、及び人間工学の最大化、
-タッチ機能やポインティング周辺装置を除去することにより且つ、半透明の壁、好ましくは透明の壁でリリースするための手段を防護することにより、インタラクティブな装置、更に具体的にマルチメディアコンテンツのリリースするための手段を含むインタラクティブな装置の製造費用又維持費用の低減
-装置によりリリースされるマルチメディアコンテンツと通信する物体により読み取り可能な情報との間の接点の生成、
-装置によりリリースされるマルチメディアコンテンツに対して通信する物体による対応
-製品又はサービスに関する情報の瞬時供給、または本発明に係るインタラクティブな装置のリリースするための手段により供給される前記製品又は前記サービスの入手
-インタラクティブな装置によりリリースされるマルチメディアコンテンツ、又該装置を通じて入手可能な情報と共に製品とサービスについての非常に簡単な変更
-従来の装置に本発明に係るインタラクティブな装置を組み込むことにより、該従来の装置の非常に簡単に適合
が本発明により可能になることを挙げられる。
【００１１】
上記の目的のために、制御ユニットと、マルチメディアコンテンツをリリースするための通信手段又は装置とを含む装置のためにインタラクティブなシステムを備え、前記手段の制御を提供するために前記制御ユニットが前記手段と協働する。該装置の魅力を向上するために、前記システムがマイクロコントローラと通信手段とを含む処理ユニットを具備する。前記システムは前記リリースするための手段に貼り付ける少なくとも1つのタグを更に備える。前記少なくとも1つのタグは処理ユニットと通信するための第一通信手段と、通信する物体が前記少なくとも1つのタグの通信範囲内にある場合に該通信する物体との無線通信をするための第二通信手段とを含む。本発明によれば、前記処理ユニットへの、少なくとも1つのタグにより開始された通信に応じてリリースされるマルチメディアコンテンツに関連するアクションを実施させるように該処理ユニットが配置される。
【００１２】
処理ユニットにより実施されるこの様なアクションが、制御ユニットにリリースの要求を送信することと、それに応じて制御ユニットがリリースするための手段によりリリースされるコンテンツの中身を変更するように構成される。
【００１３】
制御ユニットと処理ユニットが同じ物理的実体に存在する場合に、処理ユニットにより実施されるアクションはあるいは、リリースされるコンテンツの中身を直接的に変更するように構成される。ここで要求とは同じ実体により実行される処理を意味し得る。このように、二つのユニット間の通信が内部で行われる。
【００１４】
更に、マルチメディアコンテンツのリリースの進捗に対応できるため、また、後で且つ私的に分析又は参考され得る情報を該装置から読み出すため、又は直接的にサービスを利用するためにも、本発明によれば前記少なくとも1つのタグが記憶装置を備えられ、該タグと通信する物体との間で通信が確立された場合に該記憶装置のコンテンツが前記物体に読み取れられ、処理ユニットにより実施されるアクションがタグの記憶装置を更新することからなる。
【００１５】
可能なインタラクションの数、例えばリリースコンテンツの様々なセクションや領域を通じてのインタラクションを増加させるために、発明に係るシステムは上記リリースするための手段に対して貼り付けられる複数のタグを含み得る。そして、前記処理ユニットとの通信を確保するように、さらに前記タグがそれぞれ前記処理ユニットと協働する。
【００１６】
特に有利な実施形態によれば、ワイヤ、パラレル、リニア又はリング状のバスを通じて（複数の）タグが処理ユニットと協働する。
【００１７】
本発明によって、1つ又は複数のタグが通信する物体による生成される電磁場の存在を検出した場合に該タグが検出のメッセージを発信できる。その故に処理ユニットがメッセージを発信したタグを認識し、適切なアクションをトリガできる。
【００１８】
1つ又は複数のタグが通信する物体により読み取り可能な記憶装置を備える場合、本発明によれば該記憶装置が処理ユニット又は通信する物体により更新され得る。これによりバスは有利に処理ユニット、タグ、又はバスと接続しているタグの1つにデータメッセージを送信できる。
【００１９】
リリースされたコンテンツ、又は処理ユニットと接続している1つ又は複数のタグを通じて装置により再生可能なデータをリモートで更新するために、処理ユニットが有利に、リモートの第二処理ユニットと通信を行うための通信手段を含み得る。
【００２０】
第二の態様によれば、本発明は制御ユニットと、マルチメディアコンテンツをリリースするための手段とを含む装置に関する発明であって、前記手段の制御を提供するために制御ユニットが前記手段と協働し、上記装置が本発明に係るインタラクティブなシステムをさらに含む。
【００２１】
この様な装置は（場合によってはタッチ式の）画面を含むフロント・ウォールからなるリリースするための手段を通じて相互作用の一次レベルを提供できる。代替の解決策として、前記リリースするための手段は、ポインタを検出するための容量性または光学式の検出手段と関連する半透明の壁に防護される画面を含むインタラクティブなフロント・ウォールを具備できる。上記の装置は有利に、追加の機能を二つも組み合わせることにより魅了が増す。第一機能は複数のセンサによりポインタを検出することからなる。検出手段は、壁または画面の特定の領域に相当する位置でポインタを指定する。上記特定の領域はマルチメディアコンテンツMdの中の1つの情報と関連づけられる。第二機能は、第一機能に対して相補的であり、制御ユニットを通じてポインタの位置を処理ユニットへ移動することからなる。
【００２２】
第三の態様によれば、本発明はさらに、制御ユニットとマルチメディアコンテンツをリリースするための手段とを含む装置を適合させる方法に関するものであり、前記リリースするための手段の制御を確保するために前記制御ユニットが前記リリースするための手段と協働する。該装置の魅力を増すために、上記の方法は該装置に本発明に係るインタラクティブなシステムを組み込む工程も含む。
【００２３】
通信する物体が与えられたユーザのニーズを満たすために、又それにより前記ユーザがリリースされたコンテンツと相互作用をできるために、本発明は、本発明に係るインタラクティブなシステムの処理ユニットにより実施される方法に関し、前記方法は、
処理ユニットの通信手段を通じて電磁場の検出のメッセージを受信する工程であって、前記メッセージはシステムの1つまたは複数のタグにより発信される工程と、
メッセージを発信したタグを知る工程と、
電磁場の検出のメッセージを発信したタグに従いリリースするための手段によりリリースされたマルチメディアコンテンツの中身の変更を要求する工程と、を含む。
【００２４】
ユーザが装置から1つの情報を読み出せるようにするため、且つ、例えば該情報を格納して後で使えるようにするため、上記の装置は、事前に電磁場の検出のメッセージを発信したタグにデータメッセージを送信する工程であって、前記データメッセージがタグ格納手段のコンテンツを変更する工程を更に含むことができる。
【００２５】
上記の方法の実施のための処理を変更可能とするために、必要に応じて本発明はさらに、本発明に係るインタラクティブなシステムの処理ユニットのマイクロコントローラにより処理され得る指示を含むコンピュータプログラムに関するものであり、前記指示は、前記マイクロコントローラにより実行又は解釈されると、前記方法の実施を行う。
【図面の簡単な説明】
【００２６】
付随の図面を参照して下記の説明を参照することにより、本発明の他の特徴や利点がより明確になる。
【００２７】
【図１】図１はモニタ又は電子画面等のような周辺装置の形でマルチメディアコンテンツをリリースする手段を含む装置に組み込まれた本発明に係るインタラクティブなシステムの図である。
【図２】図２は本発明に係るインタラクティブなシステムの処理ユニットに接続するために提供されるタグの機能図を示し、前記タグが通信する物体と通信を行う図である。
【図３】図３は本発明のインタラクティブなシステムの複数のタグのマトリックス及び処理ユニットに関する実施形態を記載する図である。
【発明を実施するための形態】
【００２８】
図１は本発明に係るインタラクティブなシステムSを記載する。前記システムは1つ又は複数の映像出力の周辺装置の形でマルチメディアコンテンツのリリース手段Mdを含む（図１には一体的に表示さない）装置に組み込まれるために提供される。図１によれば、上記リリース手段Mdは、いわゆる「LCD」（液晶ディスプレイ）、「LED」（発光ダイオード）、又は「OLED」（有機発光ダイオード）の画面からなる。リリース手段は、画像の複数の点及び色を構成する液晶を備える表示面Edの形を取る。表示面の後ろに位置する発光体が画像を照らし可視化する。「LCD」画面の場合に、表示面の周りに又は表示面Edを囲む枠Ec上に位置するネオンチューブにより照明が与えられる。「LED」又は「OLED」画面の場合に、ダイオードがネオンチューブの代替になる。バックライトを完成させるために、一般的に反射シートSrが表示面Edの後ろに付けて使用される。反射シートSrにより光が表示面Edを透過させられて潜在的利用者の方向に届く。
【００２９】
図１に表示されないが、表示面Edが（グラス製又はプラスチック製の材料で出来た）半透明、好ましくは透明な壁に防護され得る。該防護は公共の場で取り付けられる装置の場合に特に有用である。前記壁が画面を防護する。上記の防護壁が、その後ろに表示面Edが設けられるインタラクティブなメディア壁の防護壁にも成り得る。他にも、光学センサを具備する枠に囲まれられる壁、又は、例えば立体視等によってインタラクティブになっているタッチ式の壁にも成り得る。代替の解決策において、画面がタッチ式の画面である場合には防護壁を採用できない。
【００３０】
無線ラベルとなる「タグ」は更に具体的には、物体または製品に張ったり組み込んだりできる小さな物体、例えば自己粘着性ラベル等を意味する。前記タグが一般的に電子チップと関連するアンテナを含み、前記電子チップにより送受信機から無線で送信される要求の受信も、該要求に対しての返信も可能になる。上記のタグは実行可能状態、接続状態、又は受動状態の何れにも成り得る。
【００３１】
タグとはさらに、電磁気を基となる通信またその他あらゆる通信を可能にする無線通信手段を意味する。本発明の他の代替の実施形態において、無線周波数の技術によってタグが実現される。本発明を限定するものではないが、ブルートゥース標準への準拠も配慮され得る。
【００３２】
本発明の実施形態の1つによれば、装置が、1つだけのタグと、ポインタ（例えばユーザの指又は携帯電話）の位置を検出及び決定するように構成される複数のセンサとを具備する。そしてタグは画面を少なくとも部分的に、好ましくは完全に囲むアンテナも含み得る。他の実施形態によれば、装置は複数のタグが関連付けられるタグのネットワークを含む。
【００３３】
リリース手段Mdによるマルチメディアコンテンツのリリースは、例えばHDMI(登録商標)（High-Definition Multimedia Interface（高精細度マルチメディアインターフェース））形式、又はDVI（デジタル・ビジュアル・インターフェース）形式での従来のリンクCE、又はその他あらゆるリンクを通じてリリース手段と協働するユニットUCdにより制御される。これにより制御ユニットがマルチメディアコンテンツの中身、スクロール、オーバーレイ（...）等を判断する。図１を参照して説明されなかったが、複数のコンテンツ、又はコンピュータプログラムを格納するための格納手段も具備でき、前記コンピュータプログラムの命令は、制御ユニットにより実行されるとリリース手段によるコンテンツのリリースに対応する。制御ユニットUCdは更に外からP1をリリースするための要求を受信でき、これにより前記要求に応じてリリースされるコンテンツに対応する。
【００３４】
上述の既知の解決策の欠点を解消するために、本発明によれば、格別に革新的なインタラクティブなシステムSを上記の様な装置に加える。前記システムSは処理ユニットUCを具備する。特定の装置において、前記装置が事前に適宜に適合された場合に上記の処理ユニットは装置の制御ユニットUCdでもあり得る。そしてユニットUCdとユニットUCは同じ物理的実体から成り得るが、お互い通信し合えるそれぞれ別の実体のままでもあり得る。図１を参照して説明された実施例は、制御ユニットUCdと別の実体の処理ユニットUCを示す。処理ユニットUCのマイクロコントローラUが（通信手段C1を通じて）制御ユニットにP1をリリースするための要求を送信し、それに反応する制御ユニットがリリース手段Mdによりリリースされるコンテンツを制御する。処理ユニットは更に、例えばバスB等を通じて、1つ又は複数のタグT1からTnと直接通信し、それぞれのタグは通信する物体と近接の無線通信を確立できるようにする（前記物体は図１に表示されない）。通信する物体、更に具体的には非接触型カード（例えば決算型カード、ロイヤルティ型カード等）とは、装置のその他の部分との少なくとも一方向の通信の生成が可能なスマートフォン又は超小型電子装置を意味する。
【００３５】
図２は本発明に係るインタラクティブなシステムの処理ユニットとの接続を意図されるタグTiの機能図を具体的に示している。タグTiは、図１を参照して説明されたユニットUCのようなリモート処理ユニットと通信を行うための第一の通信手段Ctと協働するマイクロコントローラUtを具備する。タグTiは、通信する物体Ocとの無線通信CPを可能にするための（一般的にコイル又はアンテナとしての）第二の通信手段Atを更に具備する。該通信は前記物体（例えばスマートフォン）がタグの通信範囲に位置する時に確立される。前記物体により生成される電磁場が（十分な電力を供給することにより）タグ（更に具体的には、タグのマイクロコントローラUt）を再活性化させる。そりによりタグは通信を行え、より詳細に物体と通信を行える。タグTiは格納手段Mtを具備でき、そのコンテンツは通信手段による読み取り又は書き込みも可能である。好適な実施態様によれば、タグは読み取りおよび・又は書き込み手段を備える。有利には、タグは読み取り可能であり、そのコンテンツは、例えば通信する物体との双方向交換の確立ができるように、変更も可能になっている。
【００３６】
本発明において、タグとは更に、タグの情報を読み取りしかできないタグの技術のことも、例えばシステム及び・又は通信する物体又はその他あらゆる物体のコンピュータ処理手段との接続により、時間と共に記憶装置の中で情報の書き込みや変更が可能な能動的な技術のことも、タグのマスタ操作に携わる「読み取り機」（読み取り機・書き込み機）型の技術であって通信する物体がスレーブ機能を備える技術のことも意味し、すなわちタグとは広義でのタグを呼び、通信する物体とのマスタ・スレーブ交換でマスタ又はスレーブとして動作できる電子装置までも及ぶ。
【００３７】
本発明によれば、この様にタグがデータバスを通じてリモート処理ユニットに接続される。したがって、タグTiのマイクロコントローラUtが、通信手段Ctを通じて電磁場FDiの検出の信号又はメッセージを更に発信できる。タグTiと接続し、また該信号を利用するために適合された処理ユニットは、このようにタグの近辺に通信する物体が存在することを該タグにより通知される。タグの通信手段Ctは、更に接続された前記処理ユニットからデータ（又はデータ信号）IOiを受信、及び・又は接続された前記処理ユニットにデータ（又はデータ信号）IOiを発信できる。
【００３８】
本発明の好ましい実施形態の1つによれば、タグTiはNFC又はRFIDの技術を実施するタグである。タグの通信する物体との相互作用を可能にするために代替的に、低範囲の通信の確立を可能にする他のあらゆる技術が採用され得る。
【００３９】
図１において示された好例の装置と関連するが、処理ユニットUCは通信バスBを通じて複数のタグTiからTnで構成されるマトリックスMTと接続する。タグがそれぞれ前記バスを通じて処理ユニットと接続される。以下にて図３を参照して前記複数のタグと処理ユニットUCとの接続の好適な例が説明される。
【００４０】
本発明に係るインタラクティブなシステムSはこの様なタグのマトリックスを必要としない。以下にても言及されるが、物体を検出するため、又リリース手段によりリリースされるコンテンツと関連するアクション（例えば、スクロールを止めるための仮想キー）を生成するためには1つのタグが十分でありえる。
【００４１】
望まれる相互作用を提供するため、タグ（又はタグのマトリックスMT）がリリース手段Mdに、好ましくはリリース手段Mdの後ろに貼り付けられる。例えば、図１にも図示されるように、表示面Edに貼り付けられた反射シートSrに、のり又は粘着シートを使用して1つ又は複数のタグが好適に取り付けられえる。表示面の後ろにタグのマトリックスを貼り付けること、又はより一般的に（あらゆる取る付ける手段を使って）取り付けることにより、リリースされたコンテンツの中に（更に具体的にはリリース手段の中に）タグの数だけ「アクティブな領域」の作成が可能になる。このように、好適に平面の上記タグのマトリックスは、（前記マトリックスとリリース手段の後ろとは何の直接接触も必要とせず）プレートの平面（又はリリースする平面）に対して実質的に平行な位置にある。リリース手段が平面的ではない場合に、タグのマトリックスは有利にリリースの幾何学に従う。ユーザがプレートの「アクティブな領域」（例えば、マルチメディアコンテンツを使用して叙述されたアーティクル、又は仮想キーに対応する領域）の周辺に通信する物体を置くとする。仮想の軸が通るまた通信する物体及びプレートを通るタグ（例えばタグTi）は、物体が前記タグの通信範囲内にある場合に該物体による与えられた電磁気により電力供給される。タグは電磁気FDiの検出信号を、バスBを介して自動的に配信する。このように実質的にプレートのアクティブな領域の周辺にある物体の存在を処理ユニットUCが通知される。したがって、処理ユニットは例えば、リリースされるマルチメディアコンテンツの中身を変更するために、制御ユニットに対してリリースの要求をトリガできる。上記の変更は第二のコンテンツのリリース、又は通信する物体のユーザ宛ての情報メッセージの重ね書きから成り得る。
【００４２】
代替の解決策において、処理ユニットは、電磁気を検出したタグの記憶装置Mtを更新するとの目的があるアクションを実施できる。処理ユニットUCによってデータ信号又はメッセージIOiがバスBを通じてタグに送信される。前記タグTiの周辺に位置する物体はこのようにタグの記憶装置のコンテンツを読み取れる。そして同様に、通信する物体によってタグが促された場合（つまり、再活性化させられた場合）、Tnがこの際、電磁気FDnの検出の信号又はメッセージを生成する。信号又はメッセージは、バスBによって処理ユニットUCにルートされる。処理ユニットUCがこの際、前回のアクションと違うアクションをトリガし、「アクティブな領域」、すなわちタグTnの周囲に所定の寸法のあるプレートの領域がリリースされるマルチメディアコンテンツの第二の項目と関連付けられる。
【００４３】
装置の制御ユニットUCdとシステムSの処理ユニットUCが同じ物理的実体からなる場合に、前記処理ユニットにより実施されるアクションはリリース手段Mdによってリリースされるコンテンツの中身を直接変更することからなる。
【００４４】
図１を参照して記載された実施例はより具体的に、LCD又はLED/OLEDプレートの形での画面を具備するインタラクティブなメディアの壁型の装置に関するものである。代替の解決策として、プレートの代わりに食品製品の陳列ケースを用いる食品製品の販売機においても同様のインタラクティブなシステムを備えることが本発明によって可能になる。その他にもあらゆるリリース手段も採用でき、例えば音響のリリース手段、又はより一般的に、ユーザの五感の1つにより知覚可能な、情報をルート出来るあらゆる手段も採用できる。同様に、テレビ受像機を例えば、通信販売を実施するように更に適合できる。同様に、リリース手段は、制御ユニットに制御されるビデオプロジェクタを通じてマルチメディアコンテンツが投影されるシンプルな画面から成り得る。
【００４５】
図１を参照すると、本発明によれば更に処理ユニットUCは別個のリモートユニットUDにも接続され得る。この目的のために、処理ユニットは上記のリモートユニットと相互に作用するための通信手段C2も具備できる。例えとして、プライベートネットワークRを通じて、又はインターネットを通じてユニット同士が通信し合える。このようにマトリックスMTのタグがリモートユニットUDと仮想的に接続される。リモートユニットUDは更に、制御ユニットのための、処理ユニットUCを通じてルートされるリリースの要求を用意できる。
【００４６】
図３はタグ（又はタグT1、T2からTnにより構成されるマトリックス）の処理ユニットへの直接接続の好適な実施形態を記載する。上記接続は簡素化のために、図１を参照して開示されたバスBにより図式化される。図３においてはn個のタグが処理ユニットUCに接続される。タグはそれぞれ、図２を参照して開示されたタグTiに類似したものである。タグはそれぞれ、その周辺に位置する通信する物体と非接触型のプロトコルに従い通信できる。該物体は図３に表示されていない。タグの1つが上記物体により生成された電磁場を供給されると、該タグが電磁場の検出の信号又はメッセージを処理ユニットに送信する。このようにタグTi、T2及びTnは、上記通信する物体に個々に促されると、信号F1、F2及びFnをそれぞれ発信する。上記信号が有利にブール情報、すなわち<<true>>とは物体がタグを再活性化させた意味をし、検出が無いこととはブールの情報の<<false>>に相当する情報をリリースすることから成り得る。
【００４７】
前記メッセージをルートするために、且つ、何れのタグが電磁場を検出したのかをユニットに分かるように、本発明によれば通信する物体の存在の検出の第一の信号が生成され、処理ユニットに送信される。このような信号は、手段ORが電磁場の検出の、様々なタグによる送信可能な信号のブール追加を生成するにより生成され得る。
【００４８】
タグの数が2m個とする。タグTiからTnは更に（もしあるなら）メッセージFD1からFDnを符号化するために符号化手段ENCにも接続される。前記手段は信号FD1からFDnを符号化し、mビットで符号化された値（i-1）を処理ユニットにリリースする。これにより処理ユニットが電磁場を検出したタグを識別できる。この目的を達成するために、処理ユニットのマイクロコントローラUが符号器の出力を復号しなければならない。この実施態様によって、処理ユニットが必要とする接続の数の簡素化且つ（nからmへの）減少が可能になる。図３を参照して開示された接続Bの好例の態様によれば、更に、タグにより発信されるデータメッセージ又は信号IO1からIOnを処理ユニットにルートできる。反対に、処理ユニットにより発信されるデータメッセージ又は信号IO1からIOnは複数のタグに又は特定の1つのタグにルートされ得る。この目的のために、本発明によれば、手段ORから推定された、又は前記信号を多重送信するために処理ユニットにより生成された値mによってアドレス指定されたタグがスイッチ手段COMに接続される。本発明は上記の好例の実施態様に限定されない。その他にもあらゆる接続、例えば、ワイヤ、パラレル、シリアル、リニア、又はリング状のバスも検討され得る。
【００４９】
1つ以上のタグを処理ユニットと接続させる手段として何れの手段が選択されるに関わらず、また、リリース手段によりリリースされるメディアコンテンツを制御する要求又はアクションとしてどんな要求又はアクションが決定されるにも関わらず、本発明は、本発明に係る装置が提供する相互作用を有意に増進させる。
【００５０】
装置の魅力を増すためには、タグの1つと相互作用ができる通信する物体の記憶装置に更に、1つ以上のアプリがロード又はプリインストールされ得る。それにより前記物体のユーザが下記の追加サービスを利用できる：オンライン購入、ユーザに合ったであろう追加情報へのアクセス（前記タグ又は複数のタグが物体により送信されたデータを受信もでき、それから処理ユニットに該データを送信もできる）。
【００５１】
幾つかの適用を実施するために、本発明によれば、処理ユニットに接続されるタグにより再生可能な情報は、通信する物体との接続のタイムスタンプを含み得る。例えばテレビ受像機は、本発明に係る（該テレビ受像機のプレートの後ろに貼り付けられる1つ以上のタグと接続される一個の処理ユニットを具備する）インタラクティブなシステムを搭載して適合されれば、通信販売又は通信投票サービスを実施するために使用され得る。タグの記憶装置を読み取る際に、通信する物体は、テレビ受像機のプレートのアクティブな領域を指定するデータを、通信する物体がタグを再活性化させた時点のタイムスタンプと共に収集する。該二つの情報はテレビ受像機によりリリースされるコンテンツによって提示される複数のアーティクルの中から1つのアーティクルを特徴づけるのに十分である。有利なことに、本発明によれば、通信する物体がタグを再活性化させた時刻とその所定の時刻に検出された画像との同期化が可能になる。更に具体的には、通信する物体により所定の時刻にて促されたタグが画面の特定のアクティブな領域に対応する。代替の解決策において、リリース手段Mdはタイムスタンプが関連づけられるビデオストリームを含む。このように行われた検出によれば、ある所定の時刻に、ユーザが選択したかった画面に表示される画像、又は該画像の一部を決定できる。通信する物体（例えば携帯電話等）がホストするアプリによれば、このように指定されたアーティクルをユーザの仮想の買い物箱に入れ、そして前記買い物箱のオンライン注文を完了させられる。同様に、他の代替の解決策において、通信する物体を使ってリアリティ番組又はスター発掘番組に参加している、ふさわしい候補者の画像を指定できる。同様にユーザが、例えばSMSにより、支持票を送信でき、このSMSメッセージは、テレビ受像機のアクティブな領域を指定するデータ、及びテレビ受像機のプレートの至近距離において、テレビ受像機のプレートに表示される画像の近くに投票者が携帯電話を位置させることにより好きな候補者を指定した時刻（及び・又は日付）を指定するデータから、物体の中に存在するアプリにより用意されるものである。
【００５２】
それにより本発明によれば、タグとインタラクティブな装置によりリリースされるコンテンツとをリンクさせることに基づき、数多くの異なる応用方法を想定できる。
【００５３】
前述の図１に参照することで、本発明によればさらに、処理ユニットUC（又は制御ユニットUCd）のマイクロコントローラUと協働する格納手段Mのコンテンツが変更され得る。したがって本発明によれば、リリース手段に対して取り付けられるタグの位置により特徴づけられる様々なアクティブな領域の処理を非常に柔軟に適合できる。実際のところ、処理ユニットのマイクロコントローラUは、通信する物体により処理ユニットと接続された複数のタグの1つに要求するための処理方法を実施するための、前記格納手段に格納される指示を読み取ってから、実行又は解釈できる。図１に参照して説明された実施例に適用する際、このような方法は主に、システムSの複数のタグT1、T2、...、Tnにより発信された電磁場の検出のメッセージF1、F2、...、Fnを処理ユニットUCの通信手段C1を通じて受信する第一の工程と、それに続いて、該メッセージを発信したタグを見分け特定する工程とを含み得る。このような方法は更に、検出のメッセージを発信したタグの特定に応じて、リリース手段MDによりリリースされるマルチメディアコンテンツの中身の変更を制御する工程も含み得る。代替として、上記の方法は更に、データメッセージIO1、IO2、...、又はIOnを用意し、該データメッセージを電磁場の検出のメッセージを先に発信したタグに送信できる。該メッセージは特に、前記タグの格納手段のコンテンツを変更することからなる。本発明に係るインタラクティブなシステムを具備する装置の目的が変わるかどうかに応じて、処理ユニットUCにより実施される処理方法が適合、又は交換され得る。装置によりリリースされるマルチメディアコンテンツにおける変更の後に、1つ又は複数のアクティブな領域と関連付けられる処理の適合についても同様である。
【００５４】
その他にも、本発明に係るインタラクティブなシステムは、最初はこのようなシステムと協働するように設計されなかった装置にも組み込まれやすい。そのために、制御ユニットと、マルチメディアコンテンツをリリースするための手段とを含み、前記手段の制御を提供するために前記制御ユニットが前記手段と協働するあらゆる装置を適合するための方法を実施しなければならない。このような方法は下記手順からなる、インタラクティブなシステムを装置に組み込む工程も含む。
- 1つ以上のタグ（例えば、図２を参照して開示されたタグTi）を、好ましくはリリース手段の後ろに配置する工程
- 図１を参照して開示された処理ユニットのような（リリース手段の制御ユニットと別の又は同じ）処理ユニットに（複数の）タグを接続させる工程
- 処理ユニットのマイクロコントローラが使える指示であって、実行又は解釈される際にリリースされたコンテンツに係る1つ以上のアクションを実施する指示を含むコンピュータプログラムを処理ユニットの格納手段にロードする工程。
【００５５】
制御ユニットが処理ユニットと別である場合に、上記の方法は、制御ユニットにより発信されるリリースの要求を受信し利用できるように、また該要求の応答として、リリース手段によりリリースされるコンテンツの中身又は状態を必要に応じて変更するために装置の制御ユニットを適合する工程も含み得る。
【符号の説明】
【００５６】
Sr・・・反射シート
Ec・・・枠
Ed・・・表示面
Md・・・リリース手段
CE・・・従来のリンク
UCd・・・制御ユニット
P1・・・リリースの要求1
MT・・・タグのマトリックス
T1・・・タグ1
Ti・・・タグi
Tn・・・タグn
B・・・バス
UC・・・処理ユニット
C1・・・通信手段1
C2・・・通信手段2
U・・・マイクロコントローラ
M・・・格納手段
UD・・・リモートユニット
P2・・・リリースの要求2
R・・・プライベートネットワーク
Oc・・・通信する物体
Ti・・・タグi
CP・・・無線通信
At・・・第二の通信手段
Ut・・・マイクロコントローラ
Mt・・・格納手段
Ct・・・第一の通信手段
FDi・・・電磁場
IOi・・・メッセージ
T1・・・タグ1
T2・・・タグ2
Tn・・・タグn
FD1・・・信号1、又はメッセージ1
FD2・・・信号2、又はメッセージ2
FDn・・・信号n、又はメッセージn
OR・・・（信号を生成する）手段
ENC・・・符号化手段
COM・・・スイッチ手段
M・・・格納手段
B・・・バス
UC・・・処理ユニット
【図１】
0006272357.tif 000002
【図２】
0006272357.tif 000003
【図３】
0006272357.tif 000004